(57)【要約】      （修正有）【課題】組立作業を簡単化し、構造を安定させる組立式電動ベッドを提供する。【解決手段】上半身支持機構２０、下半身支持機構３０および臀部支持機構４０を備える。上半身支持機構は上半身側フレーム２２、背もたれ２３および上方アクチュエータ２４を有する。背もたれは上半身側フレームに回転可能に接続され、上方アクチュエータは一端が上半身側フレームに接続され、他端が背もたれに接続される。下半身支持機構は下半身側フレーム３２、大腿支持部材３３、下腿支持部材３４および下方アクチュエータ３５を有する。大腿支持部材は下半身側フレームに回転可能に接続され、下腿支持部材は大腿支持部材に回転可能に接続され、下方アクチュエータは一端が下半身側フレームに接続され、他端が大腿支持部材に接続される。臀部支持機構は二つの中間部位側フレーム４１および臀部支持部材５０を有する。二つの中間部位側フレームは前端部４２が上半身側フレームに着脱可能に連結され、後端部４３が下半身側フレームに着脱可能に連結される。【選択図】図２
0003218889.tif 000002
【実用新案登録請求の範囲】
【請求項１】
上半身支持機構、下半身支持機構および臀部支持機構を備え、
前記上半身支持機構は、上半身側フレーム、背もたれおよび上方アクチュエータを有し、前記背もたれは前記上半身側フレームに回転可能に接続され、前記上方アクチュエータは一端が前記上半身側フレームに接続され、他端が前記背もたれに接続されることによって前記背もたれを水平位置から傾斜位置に変位させることができ、
前記下半身支持機構は、下半身側フレーム、大腿支持部材、下腿支持部材および下方アクチュエータを有し、前記大腿支持部材は前記下半身側フレームに回転可能に接続され、前記下腿支持部材は前記大腿支持部材に回転可能に接続され、前記下方アクチュエータは一端が前記下半身側フレームに接続され、他端が前記大腿支持部材に接続されることによって前記大腿支持部材を水平位置から傾斜位置に変位させることができ、
前記臀部支持機構は、二つの中間部位側フレームおよび臀部支持部材を有し、二つの前記中間部位側フレームは前端部が前記上半身側フレームに着脱可能に連結され、後端部が前記下半身側フレームに着脱可能に連結され、前記臀部支持部材は二つの前記中間部位側フレームの上方に着脱可能に跨るように配置されることを特徴とする組立式電動ベッド。
【請求項２】
前記背もたれが水平位置に維持される際、前記上半身支持機構の高さは第一高さとなり、
前記大腿支持部材が水平位置に維持される際、前記下半身支持機構の高さは第二高さとなり、
前記臀部支持部材の前後方向長さは前記第一高さおよび前記第二高さの数字和であることを特徴とする請求項１に記載の組立式電動ベッド。
【請求項３】
前記上半身側フレームは二つの前後方向に伸びる第一縦棒を有し、
二つの前記中間部位側フレームはそれぞれ前側凹状溝を有し、
二つの前記第一縦棒はそれぞれ前記前側凹状溝に格納されることを特徴とする請求項１に記載の組立式電動ベッド。
【請求項４】
さらに二つの連結部材を備え、
二つの前記連結部材は相互に対応する二つの前記中間部位側フレームと二つの前記第一縦棒を横から貫通して二つの前記中間部位側フレームと前記上半身側フレームとを結合させることを特徴とする請求項３に記載の組立式電動ベッド。
【請求項５】
前記中間部位側フレームの前記前側凹状溝は上かつ前に向いた開口部を有し、
前記第一縦棒は前記前側凹状溝の前記開口部に差し込まれることを特徴とする請求項３に記載の組立式電動ベッド。
【請求項６】
前記臀部支持部材は二つの前後方向に伸びる第二縦棒を有し、二つの前記中間部位側フレームはそれぞれ固定部を有し、二つの前記固定部は二つの前記第二縦棒の横に位置し、
二つの差込部材は相互に対応する二つの前記固定部および二つの前記第二縦棒を横から貫通して前記臀部支持部材および二つの前記中間部位側フレームを結合させることを特徴とする請求項１に記載の組立式電動ベッド。
【請求項７】
二つの前記固定部は二つの前記第二縦棒の相対する内側または外側に位置することを特徴とする請求項６に記載の組立式電動ベッド。
【請求項８】
前記下半身側フレームは二つの前後方向に伸びる第三縦棒を有し、
二つの前記中間部位側フレームはそれぞれ後側凹状溝を有し、
二つの前記第三縦棒はそれぞれ前記後側凹状溝に格納されることを特徴とする請求項１に記載の組立式電動ベッド。
【請求項９】
さらに二つの連結部材を備え、
二つの前記連結部材は相互に対応する二つの前記中間部位側フレームと二つの前記第三縦棒を横から貫通して二つの前記中間部位側フレームと前記下半身側フレームとを結合させることを特徴とする請求項８に記載の組立式電動ベッド。
【請求項１０】
前記中間部位側フレームの前記後側凹状溝は上かつ後に向いた開口部を有し、
前記第三縦棒は前記後側凹状溝の前記開口部に差し込まれることを特徴とする請求項８に記載の組立式電動ベッド。
【請求項１１】
前記上半身側フレームは両側に脚を有し、
二つの前記中間部位側フレームはそれぞれ脚を有し、
前記下半身側フレームは両側に脚を有することを特徴とする請求項１に記載の組立式電動ベッド。
【請求項１２】
前記下半身支持機構はさらに連結棒を有し、前記連結棒は一端が前記下半身側フレームに接続され、他端が前記下腿支持部材に接続されることを特徴とする請求項１に記載の組立式電動ベッド。
【考案の詳細な説明】
【技術分野】
【０００１】
本考案は電動ベッド、特に組立式電動ベッドに関するものである。
【背景技術】
【０００２】
一般の電動ベッドの体積および重量はかなり大きい。特に長さの比較的大きい電動ベッドを運送する際、大きなスペースが必要であるため、経済効率があまりよくない。電動ベッドを購入する場合、電動ベッドの体積が比較的大きいため、自己搬送が不可能である。運送会社に頼めば購入費用に送料が加算される。従って、体積および輸送コストを削減できると同時に自己搬送が可能になる方法を探ることがそれに関連する業界においてもっとも解決したい技術的な問題である。
【考案の概要】
【考案が解決しようとする課題】
【０００３】
本考案は、着脱が可能になり、体積および運送コストを削減できる組立式電動ベッドを提供することを主な目的とする。
【０００４】
本考案は、分解した部品を自ら整理、梱包および搬送でき、組み立てが簡単で組み立てた後の構造が安定するだけでなく、専業技術に頼らず自ら組み立てることができる組立式電動ベッドを提供することをもう一つの目的とする。
【課題を解決するための手段】
【０００５】
上述した課題を解決するため、組立式電動ベッドは上半身支持機構、下半身支持機構および臀部支持機構を備える。上半身支持機構は上半身側フレーム、背もたれおよび上方アクチュエータを有する。背もたれは上半身側フレームに回転可能に接続される。上方アクチュエータは一端が上半身側フレームに接続され、他端が背もたれに接続されることによって背もたれを水平位置から傾斜位置に変位させることができる。下半身支持機構は下半身側フレーム、大腿支持部材、下腿支持部材および下方アクチュエータを有する。大腿支持部材は下半身側フレームに回転可能に接続される。下腿支持部材は大腿支持部材に回転可能に接続される。下方アクチュエータは一端が下半身側フレームに接続され、他端が大腿支持部材に接続されることによって大腿支持部材を水平位置から傾斜位置に変位させることができる。臀部支持機構は二つの中間部位側フレームおよび臀部支持部材を有する。二つの中間部位側フレームは前端部が上半身側フレームに着脱可能に連結され、後端部が下半身側フレームに着脱可能に連結される。臀部支持部材は二つの中間部位側フレームの上方に着脱可能に跨るように配置される。上述した構造特徴により、組立式電動ベッドは着脱が可能であるため、体積および運送コストを削減できるだけでなく、組立作業を簡単化し、構造を安定させることができる。また分解された部品の整理、梱包、搬送および組立作業はユーザーが自らできる。
【図面の簡単な説明】
【０００６】
【図１】本考案の一実施形態による組立式電動ベッドを示す斜視図である。
【図２】本考案の一実施形態による組立式電動ベッドを示す側面図である。
【図３】本考案の一実施形態による組立式電動ベッドが水平を維持した状態を示す側面図である。
【図４】本考案の一実施形態による組立式電動ベッドを示す分解斜面図である。
【図５】本考案の一実施形態による組立式電動ベッドが分解および梱包された状態を示す斜視図である。
【図６】本考案の一実施形態による組立式電動ベッドが分解および梱包された状態を示す側面図である。
【考案を実施するための形態】
【０００７】
以下、本考案による組立式電動ベッドを図面に基づいて説明する。
（一実施形態）
図１に示すように、本考案の一実施形態による組立式電動ベッド１０は、上半身支持機構２０、下半身支持機構３０および臀部支持機構４０を備える。
【０００８】
上半身支持機構２０は、上半身側フレーム２２、背もたれ２３および上方アクチュエータ２４を有する。背もたれ２３は後側が上半身側フレーム２２に回転可能に接続される。上方アクチュエータ２４は一端が上半身側フレーム２２に接続され、他端が背もたれ２３に接続されることによって背もたれ２３を水平位置（図３参照）から傾斜位置（図１参照）に変位させることができる。本実施形態において前方とは図１の左方向のことである。後方は図１の右方向のことである。上方アクチュエータ２４はシリンダー２５およびピストン２６を有する。ピストン２６はシリンダー２５から後方に突出する。シリンダー２５は先端部が背もたれ２３の中央部位に回転可能に接続される。ピストン２６は末端部が上半身側フレーム２２の接続部２７に回転可能に接続される。上述した構造設計により、上半身支持機構２０の厚さを最小化することができる。つまり、ピストン２６がシリンダー２５に入り込んで背もたれ２３に水平を維持させる場合、上半身支持機構２０の高さ（即ち第一高さＨ１）が最小になる。上半身側フレーム２２は左右両側に第一縦棒２８を別々に有する。二つの第一縦棒２８は前後方向に伸びる。また、状況に応じて上半身側フレーム２２の前方に二つの脚２９を装着すれば組立式電動ベッド１０の高さを増大させることができる。
【０００９】
下半身支持機構３０は、下半身側フレーム３２、大腿支持部材３３、下腿支持部材３４、下方アクチュエータ３５および連結棒３６を有する。大腿支持部材３３は前側が下半身側フレーム３２に回転可能に接続される。下腿支持部材３４は前側が大腿支持部材３３の後側に回転可能に接続される。下方アクチュエータ３５は一端が下半身側フレーム３２に接続され、他端が大腿支持部材３３に接続される。連結棒３６は一端が下半身側フレーム３２に接続され、他端が下腿支持部材３４に接続される。上述した構造により、下方アクチュエータ３５は大腿支持部材３３を水平位置（図３参照）から傾斜位置（図１参照）に変位させるとともに下腿支持部材３４を水平位置（図３参照）から上昇位置（図１参照）まで移動させることができる。下方アクチュエータ３５はシリンダー３７およびピストン３８を有する。ピストン３８はシリンダー３７から後方に突出する。シリンダー３７は先端部が大腿支持部材３３の中央部位に回転可能に接続される。ピストン３８は末端部が下半身側フレーム３２に回転可能に接続される。上述した構造設計により、下半身支持機構３０の厚さを最小化することができる。つまり、ピストン３８がシリンダー３７に入り込んで大腿支持部材３３および下腿支持部材３４に水平を維持させる場合、下半身支持機構３０の高さ（即ち第二高さＨ２）が最小になる。下半身側フレーム３２は左右両側に第三縦棒３２１を別々に有する。二つの第三縦棒３２１は前後方向に伸びる。また、状況に応じて下半身側フレーム３２の後方に二つの脚３９を装着すれば組立式電動ベッド１０の高さを増大させることができる。
【００１０】
臀部支持機構４０は、二つの中間部位側フレーム４１および臀部支持部材５０を有する。臀部支持部材５０は二つの中間部位側フレーム４１の上方に着脱可能に跨るように配置される。それぞれの中間部位側フレーム４１は前端部４２が上半身側フレーム２２に着脱可能に連結され、後端部４３が下半身側フレーム３２に着脱可能に連結される。中間部位側フレーム４１、上半身側フレーム２２および下半身側フレーム３２の結合方式は上述に限定されない。本実施形態において、二つの中間部位側フレーム４１はそれぞれ前側凹状溝４４および後側凹状溝４７を有する。前側凹状溝４４は上かつ前に向いた開口部４５を有する。後側凹状溝４７は上かつ後に向いた開口部４７１を有する。二つの第一縦棒２８はそれぞれ前側凹状溝４４の開口部４５から差し込まれ、前側凹状溝４４に格納される。四つの連結部材４６は相互に対応する二つの中間部位側フレーム４１と二つの第一縦棒２８を横から貫通して二つの中間部位側フレーム４１と上半身側フレーム２２とを結合させる。二つの第三縦棒３２１はそれぞれ後側凹状溝４７の開口部４７１から差し込まれ、後側凹状溝４７に格納される。四つの連結部材４６は相互に対応する二つの中間部位側フレーム４１と二つの第三縦棒３２１を横から貫通して二つの中間部位側フレーム４１と下半身側フレーム３２とを結合させる。連結部材４６はボルトであるが、これに限定されない。別の実施形態は差込ピンまたは連結機能のある部材を連結部材４６として使用し、連結部材４６の数を増減させ、連結部材４６を水平方向または垂直方向に配置することができる。また状況に応じて二つの中間部位側フレーム４１に脚４８を装着すれば組立式電動ベッド１０の高さを増大させることができる。
【００１１】
臀部支持部材５０において、前後方向長さＬは上半身支持機構２０の第一高さＨ１および下半身支持機構３０の第二高さＨ２の数字和である。臀部支持部材５０は二つの前後方向に伸びる第二縦棒５２を有する。二つの中間部位側フレーム４１はそれぞれ垂直に伸びて形成された固定部４９を有する。二つの固定部４９はそれぞれ前側凹状溝４４と後側凹状溝４７との間に形成され、第二縦棒５２の横に位置する。二つの差込部材５４は相互に対応する二つの固定部４９および二つの第二縦棒５２を横から貫通して臀部支持部材５０および二つの中間部位側フレーム４１を結合させる。二つの中間部位側フレーム４１から臀部支持部材５０を取り外す際、二つの差込部材５４を抜き出せばよいため、分解作業が非常に簡単である。本実施形態において、二つの固定部４９は二つの第二縦棒５２の相対する内側に位置するが、これに限定されない。別の実施形態において、二つの固定部４９は二つの第二縦棒５２の外側に位置してもよい。
【００１２】
上述した構造設計により、上半身支持機構２０、下半身支持機構３０および臀部支持機構４０を結合および安定させることができる。かつ連結部材４６を取り外せば上半身支持機構２０、下半身支持機構３０および臀部支持機構４０を分離させることができる。差込部材５４を取り外せば臀部支持部材５０と二つの中間部位側フレーム４１を分離させることができる。脚２９、３９、４８はねじによって上半身側フレーム２２、下半身側フレーム３２および中間部位側フレーム４１に締め付けられて結合するため、脚２９、３９、４８を緩めれば上半身側フレーム２２、下半身側フレーム３２および中間部位側フレーム４１から脚２９、３９、４８を取り外すことができる。続いて、図５および図６に示すように、上半身支持機構２０および下半身支持機構３０を重ねて臀部支持部材５０を横に並べ、そののち上半身支持機構２０および下半身支持機構３０の間に体積の比較的小さい部材を詰めれば、組立式電動ベッド１０をまとめて梱包し、体積のコンパクト化および運送コストの削減を実現させることができる。一方、ユーザーは分解した部品を自ら搬送でき、かつ工具に頼らず自ら部品を組み立てることができるため、運送および組立の費用を別途支払いすることが必要ではない。上述したとおり、本考案による組立式電動ベッド１０は市場を獲得する潜在力を有する。
【００１３】
本考案の考案精神に基づいて組立式電動ベッド１０の構造を変化させることができる。例えば、中間部位側フレーム４１の前側凹状溝４４および後側凹状溝４７は繋がって一つの凹状溝になってもよい。前側凹状溝４４の開口部４５は上述に限定されず、前だけを向いてもよい。つまり、第一縦棒２８を前側凹状溝４４に差し込むことさえできればよい。後側凹状溝４７の開口部４７１は上述に限定されず、後だけを向いてもよい。つまり、第三縦棒３２１を後側凹状溝４７に差し込むことさえできればよい。
【００１４】
以上、本考案は、上記実施形態になんら限定されるものではなく、考案の趣旨を逸脱しない範囲において種々の形態で実施可能である。
【符号の説明】
【００１５】
１０：組立式電動ベッド、
２０：上半身支持機構
２２：上半身側フレーム、
２３：背もたれ、
２４：上方アクチュエータ
２５：シリンダー、
２６：ピストン、
２７：接続部、
２８：第一縦棒、
２９：脚、
３０：下半身支持機構、
３２：下半身側フレーム、
３２１：第三縦棒、
３３：大腿支持部材、
３４：下腿支持部材、
３５：下方アクチュエータ、
３６：連結棒、
３７：シリンダー、
３８：ピストン、
３９：脚、
４０：臀部支持機構、
４１：中間部位側フレーム、
４２：前端部、
４３：後端部、
４４：前側凹状溝、
４５：開口部、
４６：連結部材、
４７：後側凹状溝、
４７１：開口部、
４８：脚、
４９：固定部、
５０：臀部支持部材、
５２：第二縦棒、
５４：差込部材、
Ｈ１：第一高さ、
Ｈ２：第二高さ、
Ｌ：長さ
【図１】
0003218889.tif 000003
【図２】
0003218889.tif 000004
【図３】
0003218889.tif 000005
【図４】
0003218889.tif 000006
【図５】
0003218889.tif 000007
【図６】
0003218889.tif 000008